(57)【特許請求の範囲】
【請求項１】
砂型を得るために砂が中にブローされる鋳型造型用のチャンバを有する横型砂鋳型造型装置に適合可能であり、
前記チャンバの一端側は、前記砂型を引き出し可能で回動可能な前板により閉じられ、また、前記チャンバの他端側は、前記横型砂鋳型造型装置の長手方向に延びた第１のシリンダーにより駆動されて前記砂型を引き出すための押し棒として機能する後板により閉じられ、
前記前板は、カム装置のカムが駆動されたときに、前記前板の回動を生じさせるように、前記カムに関係付けられる、横型砂鋳型造型装置の前板の引き出し及び回動のためのカム装置において、
前記カムは、前記横型砂鋳型造型装置側に設けられた支持フォロアの上で機能する下向きの駆動面を有し、前記カムの一端側は、前記横型砂鋳型造型装置の前記長手方向に移動可能なフレームにヒンジ留めされ、また、前記カムは、前記一端側から離れた他のポイントで接続ロッドの一端側にヒンジ留めされ、前記接続ロッドの他端側は、前記前板にヒンジ留めされ、前記前板の後端側は、前記フレームにヒンジ留めされており、
前記フレームの移動は、前記カムが前記支持フォロアに当接するまでに、前記前板の移動並びに引き出しを生じさせ、当接したときに、前記フレームの移動は、前記砂型が引き出し可能な上部の水平位置に前記前板が到達するまで、前記カムの回動及び前記接続ロッドによる前記前板への確実な押しを生じさせることを特徴とするカム装置。
【請求項２】
前記フレームは、前記後板を駆動させる前記第１のシリンダーに対向して配置された第２のシリンダーにより駆動される細長いバーに接続されており、前記第１のシリンダーと反対方向に前記第２のシリンダーが駆動されたときに、前記砂型が圧縮され、一方、前記第２のシリンダーが前記第１のシリンダーと同じ方向に駆動されたときに、前記前板が移動並びに引き出されることを特徴とする、請求項１の横型砂鋳型造型装置の前板の引き出し及び回動のためのカム装置。
【発明の詳細な説明】
【０００１】
【発明の属する技術分野】
本発明は、各砂型の引き出しと、これの前の成形、即ち、鋳型造型とを可能にするために、前板の移動並びに回動の間の前板の移動の急激な変化を防ぐようにデザインされた、横型砂鋳型造型装置の前板の引き出し及び回動のためのカム装置に関する。
【０００２】
【従来の技術】
本発明の目的は、上述された目的で、砂鋳型造型装置に適合可能な新規のカム装置を提供することである。この装置において、カムの駆動面は、砂もしくは塵埃がカムとこれの回動を果すように装置に組み込まれた支持フォロアとの間に堆積するのを防ぐために下を向いている。
【０００３】
鋳型造型物の製造と取り出しとが横位置にある砂鋳型造型装置には、上部に位置されたホッパもしくはベルを介して中に砂がブローされるほぼ角形のチャンバが設けられている。このチャンバは、鋳型造型された片（mote）、すなわち砂型の取り出しを可能にする変位可能な、すなわち移動可能な回動板により一端側で閉じられ、他端側は、圧縮用のピストンに接続された後板により閉じられる。この後板は、また、予め製造され積み重ねられた片の上に片を位置させるために、片を押して取り出すのに使用される。
【０００４】
片は、チャンバ中に砂をブローし、続いて、両方の板の組み合わされた押圧で砂を圧縮することにより得られる。この後、回動板は、開かれ、片の取り出しを可能にするように回動される。これは、圧縮用、即ち、押圧用のピストンに接続された後板で押すことにより果される。かくして、片は、取り出され、既に製造されて積み重ねられた片上に位置される。
【０００５】
一般に、回動板は、種々の駆動機構により開閉される。これら駆動機構のうちの１つとして、カム装置が知られている。このカム装置のカムは、カムがフォロア上で移動するのに従って回動板を回動させるために回動板に接続されるように、上面がフォロアと当接する。
【０００６】
【発明が解決しようとする課題】
駆動面が上を向いたこのカムの配置、かくして、上にフォロアがある配置では、砂がこれら部材間に堆積されてしまい、機構を損傷する可能性がある。かくして、この損傷を防ぐためには周期的なクリーニングが必要である。更に、カムの動きに基づく公知の機構は、板の動きに急激な変化が起こり得るような構成にされている。
【０００７】
【課題を解決するための手段】
開示された装置は、前板の移動の動作中の急激な変化を防ぐように、構成部品による負荷を考慮して、単純かつ効果的な解決により、上述された問題を解決するようにデザインされている。
【０００８】
特に、本発明の装置は、下を向いた駆動面を備えたカムを有し、かくして、これのフォロアは、この下に位置し、これらの間の塵埃の形成並びに堆積が防がれる。
【０００９】
前記カムは、長手方向に動くことが可能で、回動可能な前板が接続されたフレームに一端側が接続され、他端側が、接続ロッドの一端側に接続され、この接続ロッドの他端側は、回動板に接続されている。上述された部材のこのような接続は、カムの動きにより回動可能な回動前板が移動及び回動される４つの回動支点（bar）からなるリンク接続を決定し、かくして、砂片の取り出しを可能にしている。
【００１０】
カムに接続された移動可能なフレームは、後板の駆動シリンダーとは反対に位置されたシリンダーにバーを接続することにより駆動され、フレーム自体の両方向への移動を生じさせる。最初に、シリンダーの押しは、カムがフォロアに達するまで、前板の長手方向の移動とこれの引き出しとを生じさせるのみである。そして、カムが達したときに、シリンダーが押し続けると、カムは回動し始め、接続ロッドを介して前板を押し、かくして、前板を、片の出口を生じさせるように回動させる。
【００１１】
【発明の実施の形態】
本発明の特徴を、図示され説明された目的のための、好ましい実施形態の添付図面を参照して更に説明する。
【００１２】
図面に示されるように、本発明のカム装置は、駆動面２が下を向き、カム上のポイントのうちの１つのポイント３により、長手方向に動き得るフレーム４に接続され、前記１つのポイントから離れた他のポイント５により接続ロッド６に接続されたカム１を有する。接続ロッドの他端側は、ポイント８で砂片鋳型造型装置の回動前板７に接続されている。この前板７は、ポイント９でフレーム４にヒンジ留めされている。
【００１３】
このカム装置は、鋳型造型装置の両端部で使用されるので、この動きは、完全に釣り合っている。
【００１４】
このカム装置が適合されている鋳型造型装置には、対応する鋳型造型チャンバが設けられている。この鋳型造型チャンバ内には、片１１、すなわち砂型が、形成され、この片の上に、ホッパ即ちベル１２が位置され、これにより、砂はブローされる。前記回動前板７は、チャンバの前部を閉じ、後部は、第２の板１３により閉じられる。この板の移動は、更なるシリンダー１５がバー１６を用いて移動可能なフレーム４を駆動することにより、シリンダー１４により駆動される。
【００１５】
本発明に係われば、図２，図３，図４において、鋳型造型装置かくして本カム装置の操作手順が示されている。
【００１６】
鋳型造型チャンバに砂がブローされた後、鋳型造型チャンバ内で片１１を形成するように板７、１３を夫々押すシリンダー１４、１５の同時及び対向する動きにより、対応する圧縮が成される。
【００１７】
この後、一方のシリンダー１４は、動きを止め、他方のシリンダー１５は、動きを反転させ、フレーム４と、かくして前板７との長手方向外方への移動を生じさせる。かくして、この移動は、最終的にカム１の駆動面２をフォロア１０に接触させる。この後、この動きが続くと、カムは、上に向かって回動し、ロッド６を押し、かくして、前板７を押し、この板７をフレーム４に対してこのヒンジ留めされたポイント９を中心にして回動させる。図３に示されるように、板７がこの上部位置で水平に位置されるまで、この回動の動きは続く。この位置において、片１１は、シリンダー１４により長手方向に動かされる板１３の押す動きにより取り出され得る。
【図面の簡単な説明】
【図１】図１は、カムの、この静止位置と最終的な回動位置との間の幾つかの配置を示した、カム装置の側面図を示している。
【図２】図２は、本発明のカム装置の動きのステージに対応した図を示している。
【図３】図３は、本発明のカム装置の動きのステージに対応した図を示している。
【図４】図４は、本発明のカム装置の動きのステージに対応した図を示している。
【符号の説明】
１…カム、２…駆動面、４…フレーム、６…ロッド、７…板、１０…フォロア。
【図１】
0004723153.tif 000002
【図２】
0004723153.tif 000003
【図３】
0004723153.tif 000004
【図４】
0004723153.tif 000005